(57)【要約】【課題】水難事故により毎年多くの人命が失われているが、その多くは遭難者が予期しない事故によるものであり、従ってライフジャケット等を装着していない場合が多い。本発明は通常着用可能な上衣に、空気を保持できる気密室の機能を持たせることにより、不慮の水難事故に遭遇した場合に、必要な浮力を発生し、事故に遭遇した者のパニックを防ぎ、生存率を高めることを目的としたものである。【解決手段】上衣の表側の素材と裏側の素材に、ともに気密性と強度に優れた素材を使用し、これらを縫合または接合することにより空気を保持できる気密室を構成し、水難時にこれらの気密室内に当初から存在した空気により、または着用者が呼気を注入することにより、必要な浮力を発生できるようにした。【選択図】図１
2005320670.tif 000002
【特許請求の範囲】
【請求項１】
日常的に着用可能な上衣であって、前みごろ部、後ろみごろ部のどちらか又は両方に、適当な気密性と強度を持った布又は布状の素材を二重に使用し、これら表側の素材と裏側の素材を縫合または接合することにより、下部で開口した袋状の気密室を構成し、当該気密室に呼気を注入可能なように、逆止弁付き空気注入口を設けたことを特徴とする上衣。
【請求項２】
両袖部の一部又は全部に、適当な気密性と強度を持った布又は布状の素材を二重に使用し、これら表側の素材と裏側の素材を縫合または接合することにより、それぞれ気密室を構成し、これらの気密室がそれぞれ請求項１に記載した気密室の少なくとも一つと、空気が行き来できる通路で繋がっていることを特徴とする上衣。
【請求項３】
襟部に、適当な気密性と強度を持った布又は布状の素材を二重に使用し、これら表側の素材と裏側の素材を縫合または接合することにより、気密室を構成し、この気密室が請求項１に記載した気密室の少なくとも一つと、空気が行き来できる通路で繋がっていることを特徴とする上衣。
【請求項４】
後ろ襟部に取り付けたフードに、適当な気密性と強度を持った布又は布状の素材を二重に使用し、これら表側の素材と裏側の素材を縫合または接合することにより、密閉された気密室を構成し、当該気密室に呼気を注入可能なように、逆止弁付き空気注入口を設けたことを特徴とする上衣。
【請求項５】
請求項１及び４の構成部品である逆止弁付き空気注入口の本体が、ボタン状の形状を呈していることを特徴とする上衣。
【請求項６】
請求項４に記載したフードにおいて、気密室を構成する裏側の素材に、識別性に優れた色（黄色、橙色、蛍光色等）を使用することにより、遭難時に捜索者から発見され易くしたことを特徴とする上衣。
【発明の詳細な説明】
【技術分野】
【０００１】本発明は衣服、水難時の救命胴衣（ライフジャケット等）に関する。
【背景技術】
【０００２】救命胴衣として、浮力材によるもの、袋状の気密室にガスを充填するもの、袋状の気密室に呼気を注入するもの等が種々考案されているが、その多くは、当人が水難事故の危険性が高いと認識した場合に予め装着するものであり、予期しない事故に遭遇した場合には救命の用をなさない。この対策として、例えば特許文献１では特殊な浮力材を通常の衣服の中芯として使用する方法が提案されているが、四季を通じての着用には適さない。
又、特許文献２では通常のジャケットに予め着脱可能な浮力材を取り付けるか、ジャケットの内側に設けられた袋状の気密室に予め空気を充填しておく方法が考案されているが、不慮の事故の際には十分な効果を発揮できない。
【特許文献１】特許公開平１０−７６９９１
【特許文献２】特許公開平６−２３５１０４
【発明の開示】
【発明が解決しようとする課題】
【０００３】水難事故により毎年多くの人命が失われているが、その多くは遭難者が予期しない事故に遭遇したものであり、従ってライフジャケット等を装着していない場合が多い。本発明は通常着用可能な上衣に、空気を保持できる気密室の機能を持たせることにより、不慮の水難事故に遭遇した場合に、必要な浮力を発生し、事故に遭遇した者のパニックを防ぎ、生存率を高めることを目的としたものである。
【課題を解決するための手段】
【０００４】上衣の表側の素材と裏側の素材に、ともに気密性と強度に優れた素材を使用し、これらを縫合または接合することにより空気を保持できる気密室を構成し、水難時にこれらの気密室内に当初から存在した空気により、または着用者が呼気を注入することにより、必要な浮力を発生できるようにしたものである。
【発明の効果】
【０００５】専用の救命具としてではなく、通常の衣類に救命具としての機能を具備したものを提供することにより、予期しない水難事故で尊い人命が失われることを防ぐことができる。
【発明を実施するための最良の形態】
【０００６】以下、本発明の実施の形態について、図１〜６を用いて説明する。
図１は本発明による上衣１を正面から見た図、図２は同背面から見た図、図３は図１の一点鎖線Ａ−Ａ部分の断面図、図４は空気室（下記参照）の系統図、図５，６は本発明による逆止弁付き空気注入口の断面図である。【０００７】図１〜４では、本発明による空気を保持するための気密室（以下、空気室と呼ぶ）が９個構成されている。空気室２ａは、着用者の右胸部に、表の素材７ａと裏の素材８ａ（同種の素材でも可。以下同様。）を縫合または接合することにより構成されており、一部は下方向に開口部９ａを有している。空気室３ａは、着用者の右背中部分に、表の素材７ｂと裏の素材８ｂを縫合または接合することにより構成されており、一部は下方向に開口部１０ａを有している。空気室４ａは、右肩部に、表の素材と裏の素材を縫合または接合することにより構成されており、空気室２ａ及び空気室３ａと空気が行き来できるように通路１１ａと１２ａが設けられている。
空気室５ａは、右襟部に、表の素材１４と裏の素材１５を縫合または接合することにより構成されており、空気室２ａと空気が行き来できるように通路１３ａが設けられている。空気室２ｂ、３ｂ、４ｂ、５ｂは、空気室２ａ、３ａ、４ａ、５ａに対して左右対称に設けられた空気室であり、着用者の左部分に配置されている。
尚、これらの空気室２〜５においては、裏側の素材よりも表側の素材がやや大きめに作られており、通常着用状態においても空気層が構成しやすくなっている。
空気室６は、フード部分に、表の素材１６と裏の素材１７を縫合または接合することにより構成されており、独立した空気室をなしている。【０００８】胸部の空気室である空気室２ａ及び２ｂにはそれぞれ、例えば、飾りポケットの蓋１８ａ、１８ｂがそれぞれ縫合又は接合されており、蓋１８ａ、１８ｂにボタン状の逆止弁付空気注入口１９ａ、１９ｂがそれぞれ気密を保ちつつ取り付けられている。
フード部分の空気室６には、フードに繋がった前面のバンド部分２０にボタン状の逆支弁付空気注入口２１が気密を保ちつつ取り付けられている。
以上の構造により、３系統の空気室が構成されることになる。図４は空気室の系統を模式的に示したものである。複数系統の空気室は、例えば１箇所が破れた時にも他の系統の空気室が機能するので安全性が高くなる。【０００９】次に、本発明による上衣を着用して水難事故に遭遇した場合の効果について説明する。なお、上衣前面のボタンやファスナーは適度に締めてあるものとする。
まず、フード６以外の空気室２〜５には、通常着用状態において表の素材と裏の素材の間に、ある程度の空気が保持されている。しかも空気室に空気が閉じ込められて不必要に膨らみ、着心地を損なうことはない。これを可能にしているのは、表側の素材が裏側の素材よりやや大きめに作られている点と、空気室２ａ、２ｂ、３ａ、３ｂが下方向に常に開口していることにより空気の出入りが可能な点にある。
水没直後には、これらの初期保有空気が水圧により上方に集められ最低限の浮力を発生する。尚、図１及び図２に示したＬ字型の接合部２２ａ、２２ｂ、２３ａ、２３ｂは、例えば倒立状態で水没した場合でも、初期保有空気の一部を空気室内に残留させるための仕切りである。【００１０】より大きな浮力を発生させるには、胸の飾りポケットの蓋１８ａ、１８ｂに取り付けられたボタン状の逆止弁付き空気注入口１９ａ、１９ｂを介して呼気を注入する。この空気注入口はボタン状なので、デザイン的に目立つ個所に取り付けることが可能であり、緊急時でも着用者が空気注入口の場所を認識することが容易である。
さらに、後ろ襟部に、着脱可能に取り付けられたフード６は独立した空気室をなし、前面のバンド状の部分２０に取り付けられたボタン状の逆止弁付き空気注入口２１を介して呼気を注入することにより、容量の大きな浮き袋になる。フード６は、上衣を着用した状態では、直接的には着用者に浮力を与える位置にはないが、取り外して抱えることも可能である点と、裏地に鮮やかな色彩を施すことにより捜索者から発見されやすいという効果があり、遭難者に安心感を与えることができる。【００１１】図５にボタン状の逆止弁付空気注入口の構造の一例を示す。
この例では、金属製のボタン本体２５と表の素材２４の間に、スペーサー２８とシール材２９を介して、ボタン本体の端部２７をプレスし変形させることにより固定している。弁体３０は弾力性と気密性に富む材料で成り、表の素材２４に直接接合してある。穴２６から吹き込まれた呼気は、弁体３０に設けられた穴３１を通って空気室に入るが、空気室内の空気は、弁体３０が、ボタン本体の端部２７に密着することで外に漏れない。尚、弁体をボタン本体に内蔵することも可能である。図６はこの例である。【００１２】日常的に着用する衣類は家庭で洗濯できることが望ましいが、本発明による上衣の空気室２〜５は、常時開口している部分９ａ、９ｂ、１０ａ、１０ｂに繋がっているので、洗濯により空気室に水が入っても、その水を排出することが比較的容易であり、家庭で洗濯することも可能である。
フード部については、取り外して、空気室に水が入らないように手洗いすることで日常の手入れが可能である。
これらの特徴により、子供用の上衣としても広く使用可能である。
【実施例】
【００１３】前項「発明を実施するための最良の形態」で述べた以外の実施例として、袖部を無くしたチョッキ状のもの、さらに簡易的な例として、フード部のみを本発明の構造にして、万一の場合の一助とするものが考えられる。
【図面の簡単な説明】
【００１４】
【図１】本発明による上衣を正面から見た図である。
【図２】本発明による上衣を背面から見た図である。
【図３】図１に示した一点鎖線Ａ−Ａの断面図である。
【図４】本発明による空気室の繋がりを示した模式図である
【図５】本発明による逆止弁付き空気注入口の断面図である。
【図６】本発明による逆止弁付き空気注入口の断面図である。
【符号の説明】
【００１５】１    ・・・本発明による上衣
２ａ  ・・・右前みごろ部の空気室
２ｂ  ・・・左前みごろ部の空気室
３ａ  ・・・右後ろみごろ部の空気室
３ｂ  ・・・左後ろみごろ部の空気室
４ａ  ・・・右肩部の空気室
４ｂ  ・・・左肩部の空気室
５ａ  ・・・右襟部の空気室
５ｂ  ・・・左襟部の空気室
６    ・・・フード部の空気室
７ａ  ・・・前みごろの表の素材
７ｂ  ・・・後ろみごろの表の素材
８ａ  ・・・前みごろの裏の素材
８ｂ  ・・・後ろみごろの裏の素材
９ａ、９ｂ・・・空気室２ａ、２ｂの開口部
１０ａ、１０ｂ・・・空気室３ａ、３ｂの開口部
１１ａ・・・空気室２ａと４ａ間の空気の通路
１１ｂ・・・空気室２ｂと４ｂ間の空気の通路
１２ａ・・・空気室３ａと４ａ間の空気の通路
１２ｂ・・・空気室３ｂと４ｂ間の空気の通路
１３ａ・・・空気室２ａと５ａ閧の空気の通路
１３ｂ・・・空気室２ｂと５ｂ間の空気の通路
１４  ・・・襟の表の素材
１５  ・・・襟の裏の素材
１６  ・・・フードの表の素材
１７  ・・・フードの裏の素材
１８ａ、１８ｂ・・・飾りポケットの蓋
１９ａ、１９ｂ・・・１８ａ，１８ｂに取り付けられた逆止弁付き空気注入口
２０  ・・・フード前部のバンド状の部分
２１  ・・・２０に取り付けられた逆止弁付き空気注入口
２２ａ・・・空気室２ａに設けられたＬ字形の接合部
２２ｂ・・・空気室２ｂに設けられたＬ字形の接合部
２３ａ・・・空気室３ａに設けられたＬ字形の接合部
２３ｂ・・・空気室３ｂに設けられたＬ字形の接合部
２４  ・・・表の素材
２５  ・・・ボタン状の空気注入口本体
２６  ・・・空気を注入するための穴
２７  ・・・ボタン本体の端部
２８  ・・・スペーサー
２９  ・・・シール材
３０  ・・・弁体
３１  ・・・弁体に設けられた穴
３２  ・・・弁対を閉じる方向に押しているばね
３３  ・・・ばね３２を支える部品
【図１】
2005320670.tif 000003
【図２】
2005320670.tif 000004
【図３】
2005320670.tif 000005
【図４】
2005320670.tif 000006
【図５】
2005320670.tif 000007
【図６】
2005320670.tif 000008